(57)【要約】【課題】提供先の属性情報に応じた情報を掲載することができながらも提供先において見やすい保険案内書を作成する。【解決手段】  保険代理店２０から企業１０−１〜１０−ｎに配布される保険案内書が、企業１０−１〜１０−ｎから供給される顧客データ１１−１〜１１−ｎと、保険代理店２０にて指定される指示データ２１とに基づいて案内書作成企業３０にて作成され、その後、保険代理店２０に供給される。【選択図】図１
2005250901.tif 000002
【特許請求の範囲】
【請求項１】
保険案内書を作成する保険案内書作成方法であって、
案内する保障項目を指定する指示データに応じたコンテンツ情報を第１のデータベースから検索する処理と、
前記指示データによって指定される保障項目と前記保険案内書の提供先の属性情報とに応じた保険料情報を第２のデータベースから検索する処理と、
前記第１のデータベースから検索された前記コンテンツ情報と、前記第２のデータベースから検索された前記保険料情報とを、前記保険案内書を構成する提供資料毎に決められた配置位置データに基づいた領域に配置することにより、前記保険案内書の印刷データを編集する処理と、
前記編集された印刷データを案内書用紙に印刷する処理とを有する保険案内書作成方法。
【請求項２】
請求項１に記載の保険案内書作成方法において、
前記属性情報と、前記指示データによって指定される保障項目と、前記第２のデータベースから検索された前記保険料情報とを、前記保険案内書の種類に応じて予め決められた領域に配置することにより、保険の申込用紙の印刷データを編集する処理と、
前記保険案内書の提供先によらずに共通となるフォーマットが予め印刷された申込用紙に、前記編集された印刷データを印刷する処理と、
前記保険案内書と前記申込用紙とを、前記保険案内書の提供先毎に封筒に封入する処理とを有することを特徴とする保険案内書作成方法。
【請求項３】
請求項１または請求項２に記載の保険案内書作成方法において、
前記第１のデータベースから検索された前記コンテンツ情報の数に応じて、前記印刷データ内における当該コンテンツ情報の配置位置データを変更することを特徴とする保険案内書作成方法。
【請求項４】
請求項１乃至３のいずれか１項に記載の保険案内書作成方法において、
前記属性情報に、年齢及び性別のうち少なくともいずれか一方が含まれていない場合、前記指示データによって指定される保障項目のみに応じた保険料情報を第２のデータベースから検索することを特徴とする保険案内書作成方法。
【請求項５】
保険への加入を案内するための保険案内書であって、
前記保険案内書の提供先を示す情報が掲載された提供先表記欄と、
前記保険案内書の提供先に案内する保険の内容が掲載された商品紹介欄と、
前記商品紹介欄に掲載された保障項目及び前記保険案内書の提供先に応じて、保険への加入を喚起するための情報が掲載されたニーズ喚起表記欄と、
前記商品紹介欄に掲載された保障項目について、前記案内書の提供先に応じた保険の保障金額及びその保険料が掲載された保険料表記欄と、
保険の加入手続きの手順が掲載された手順書欄とが一体化された案内書。
【請求項６】
保険案内書の印刷データを生成する印刷データ生成システムであって、
案内する保障項目を指定する指示データと、前記保険案内書の提供先の属性情報と、前記保険案内書を構成する提供資料毎に決められた配置位置データとに応じて、前記保険案内書の印刷データを編集する印刷データ編集手段と、
前記印刷データ編集手段にて編集された印刷データを、該印刷データを印刷する印刷手段に対して出力する印刷データ出力手段とを有し、
前記印刷データ編集手段は、
前記指示データに応じたコンテンツ情報を第１のデータベースから検索するコンテンツ情報検索手段と、
前記指示データによって指定される保障項目と前記保険案内書の提供先の属性情報とに応じた保険料情報を第２のデータベースから検索する保険料情報検索手段と、
前記第１のデータベースから検索された前記コンテンツ情報と、前記第２のデータベースから検索された前記保険料情報とを、前記配置位置データに基づいた領域に配置することにより、前記保険案内書の印刷データを組み立てる印刷データ組立手段とを有する印刷データ生成システム。
【請求項７】
請求項６に記載の印刷データ生成システムにおいて、
前記印刷データ組立手段は、前記第１のデータベースから検索された前記コンテンツ情報の数に応じて、前記印刷データ内における当該コンテンツ情報の配置位置データを変更することを特徴とする印刷データ生成システム。
【請求項８】
請求項６または請求項７に記載の印刷データ生成システムにおいて、
前記保険料情報検索手段は、前記属性情報に、年齢及び性別のうち少なくともいずれか一方が含まれていない場合、前記指示データによって指定される保険の種類のみに応じた保険料情報を第２のデータベースから検索することを特徴とする印刷データ生成システム。
【発明の詳細な説明】
【技術分野】
【０００１】
本発明は、生命保険や損害保険への加入を勧める場合等に用いられる保険案内書を作成する保険案内書作成方法及び保険案内書、並びに、この保険案内書の印刷データを生成する印刷データ生成システムに関する。
【背景技術】
【０００２】
一般に、契約者が保険料を支払うことにより所定の保障が行われる生命保険においては、契約者が生命保険に加入すると、加入した保険の内容が掲載された保険証券と、その保険に関する約款が契約者に対して発行される。このような生命保険には、様々な保障が設定されており、契約者は、これらの保障の中から自分に合った保障を選択し、その内容の保険に加入することになる。
【０００３】
従来より、上述したような生命保険への加入を勧めるために、生命保険の保障の内容やその保障を受けるために支払う保険料等の情報が掲載された保険案内書が利用されている。このような保険案内書においては、どのような場合にどれだけの保障金が支払われるかという保障の内容や、その保障を受けるために支払う保険料等の情報が掲載されており、消費者は、保険案内書に掲載された情報を参考にして生命保険に加入することになる。そのため、このような保険案内書においては、見やすさが要求されるとともに、保険への加入を勧める消費者に合った情報が掲載されていることが望まれる。
【０００４】
そこで、共通の所定のフォーマットに消費者の年齢や性別等の属性情報に応じた情報を印刷することにより、消費者に合った案内書を作成する装置が考えられている。この装置においては、共通の所定のフォーマットがプレ印刷された用紙に、消費者の氏名や年齢、性別等の属性情報に応じた情報が追記されるように印刷されることにより、案内書が作成されている（例えば、特許文献１参照。）。
【０００５】
この技術を用いれば、生命保険への加入を勧めるための保険案内書に、その消費者に合った情報を掲載することができる。
【特許文献１】特許第２７２７０６２号明細書
【発明の開示】
【発明が解決しようとする課題】
【０００６】
しかしながら、上述したように、共通の所定のフォーマットがプレ印刷された用紙に、消費者の氏名や年齢、性別等の属性情報に応じた情報が追記されるように印刷することによって保険案内書を作成する場合、保険への加入を勧める対象となる消費者の属性情報に応じた情報を掲載することができるものの、プレ印刷されたフォーマットに従ってその情報が印刷されることになるため、プレ印刷されたフォーマットの中に情報が印刷されない領域が生じる虞れがあり、その場合、消費者にとって見やすいものとは言いがたいものとなってしまうという問題点がある。
【０００７】
本発明は、上述したような従来の技術が有する問題点に鑑みてなされたものであって、保険の推奨パターンや保険案内書の提供先の属性情報に応じた情報、また、必要となる属性情報の有無に応じた情報を掲載することができながらも保険案内書の提供先において見やすい保険案内書を作成することができる保険案内書作成方法、保険案内書及び印刷データ生成システムを提供することを目的とする。
【課題を解決するための手段】
【０００８】
上記目的を達成するために本発明は、
保険案内書を作成する保険案内書作成方法であって、
案内する保障項目を指定する指示データに応じたコンテンツ情報を第１のデータベースから検索する処理と、
前記指示データによって指定される保障項目と前記保険案内書の提供先の属性情報とに応じた保険料情報を第２のデータベースから検索する処理と、
前記第１のデータベースから検索された前記コンテンツ情報と、前記第２のデータベースから検索された前記保険料情報とを、前記保険案内書を構成する提供資料毎に決められた配置位置データに基づいた領域に配置することにより、前記保険案内書の印刷データを編集する処理と、
前記編集された印刷データを案内書用紙に印刷する処理とを有する。
【０００９】
また、前記属性情報と、前記指示データによって指定される保障項目と、前記第２のデータベースから検索された前記保険料情報とを、前記保険案内書の種類に応じて予め決められた領域に配置することにより、保険の申込用紙の印刷データを編集する処理と、
前記保険案内書の提供先によらずに共通となるフォーマットが予め印刷された申込用紙に、前記編集された印刷データを印刷する処理と、
前記保険案内書と前記申込用紙とを、前記保険案内書の提供先毎に封筒に封入する処理とを有することを特徴とする。
【００１０】
また、前記第１のデータベースから検索された前記コンテンツ情報の数に応じて、前記印刷データ内における当該コンテンツ情報の配置位置データを変更することを特徴とする。
【００１１】
また、前記属性情報に、年齢及び性別のうち少なくともいずれか一方が含まれていない場合、前記指示データによって指定される保障項目のみに応じた保険料情報を第２のデータベースから検索することを特徴とする。
【００１２】
また、保険への加入を案内するための保険案内書であって、
前記保険案内書の提供先を示す情報が掲載された提供先表記欄と、
前記保険案内書の提供先に案内する保険の内容が掲載された商品紹介欄と、
前記商品紹介欄に掲載された保障項目及び前記保険案内書の提供先に応じて、保険への加入を喚起するための情報が掲載されたニーズ喚起表記欄と、
前記商品紹介欄に掲載された保障項目について、前記案内書の提供先に応じた保険の保障金額及びその保険料が掲載された保険料表記欄と、
保険の加入手続きの手順が掲載された手順書欄とが一体化されている。
【００１３】
また、保険案内書の印刷データを生成する印刷データ生成システムであって、
案内する保障項目を指定する指示データと、前記保険案内書の提供先の属性情報と、前記保険案内書を構成する提供資料毎に決められた配置位置データとに応じて、前記保険案内書の印刷データを編集する印刷データ編集手段と、
前記印刷データ編集手段にて編集された印刷データを、該印刷データを印刷する印刷手段に対して出力する印刷データ出力手段とを有し、
前記印刷データ編集手段は、
前記指示データに応じたコンテンツ情報を第１のデータベースから検索するコンテンツ情報検索手段と、
前記指示データによって指定される保障項目と前記保険案内書の提供先の属性情報とに応じた保険料情報を第２のデータベースから検索する保険料情報検索手段と、
前記第１のデータベースから検索された前記コンテンツ情報と、前記第２のデータベースから検索された前記保険料情報とを、前記配置位置データに基づいた領域に配置することにより、前記保険案内書の印刷データを組み立てる印刷データ組立手段とを有する。
【００１４】
また、前記印刷データ組立手段は、前記第１のデータベースから検索された前記コンテンツ情報の数に応じて、前記印刷データ内における当該コンテンツ情報の配置位置データを変更することを特徴とする。
【００１５】
また、前記保険料情報検索手段は、前記属性情報に、年齢及び性別のうち少なくともいずれか一方が含まれていない場合、前記指示データによって指定される保険の種類のみに応じた保険料情報を第２のデータベースから検索することを特徴とする。
【００１６】
上記のように構成された本発明においては、案内する保障項目を指定する指示データと保険案内書の提供先の属性情報が供給されると、まず、供給された指示データに応じたコンテンツ情報が第１のデータベースから検索され、また、指示データによって指定される保障項目と指定された属性情報とに応じた保険料情報が第２のデータベースから検索される。その後、第１のデータベースから検索されたコンテンツ情報と、第２のデータベースから検索された保険料情報とが、保険案内書を構成する提供資料毎に決められた配置位置データに基づいた領域に配置されることにより、保険案内書の印刷データが編集され、編集された印刷データが案内書用紙に印刷されることによって、保険案内書が作成されることになる。
【００１７】
このように、案内する保障項目を指定する指示データに応じたコンテンツ情報と、指示データによって指定される保障項目と指定された属性情報とに応じた保険料情報とが、保険案内書を構成する提供資料毎に決められた領域に配置されることにより、保険案内書の印刷データが編集されるので、保険案内書の提供先の属性情報に応じた情報を掲載することができながらも保険案内書の提供先において見やすい保険案内書が作成されることになる。
【発明の効果】
【００１８】
以上説明したように本発明においては、案内する保障項目を指定する指示データに応じたコンテンツ情報と、指示データによって指定される保障項目と指定された属性情報とに応じた保険料情報とが、保険案内書を構成する提供資料毎に決められた領域に配置されることにより、保険案内書の印刷データが編集される構成としたため、保険案内書の提供先の属性情報に応じた情報を掲載することができながらも保険案内書の提供先において見やすい保険案内書を作成することができる。
【００１９】
また、属性情報と、指示データによって指定される保障項目と、第２のデータベースから検索された保険料情報とを、保険案内書の種類に応じて予め決められた領域に配置することにより、保険の申込用紙の印刷データを編集し、この印刷データを、保険案内書の提供先によらずに共通となるフォーマットが予め印刷された申込用紙に印刷し、保険案内書と申込用紙とを、保険案内書の提供先毎に封筒に封入する構成としたものにおいては、保険の申込用紙等といった記入内容をＯＣＲで読み取る用紙を、作成された保険案内書毎に封入することができる。
【００２０】
また、第１のデータベースから検索されたコンテンツ情報の数に応じて、印刷データ内における当該コンテンツ情報の配置位置データを変更する構成としたものにおいては、案内する保障項目を指定する指示データと保険案内書の提供先の属性情報とのうち、少なくとも指示データに応じて第１のデータベースから検索されたコンテンツ情報の数が異なる場合に、それぞれの数に応じてコンテンツ情報を見やすい位置に配置することができる。
【００２１】
また、属性情報に、年齢及び性別のうち少なくともいずれか一方が含まれていない場合、指示データによって指定される保障項目のみに応じた保険の保険料情報を第２のデータベースから検索する構成としたものにおいては、個人情報を保護するために保険案内書の提供先の属性情報に年齢や性別が含まれていない場合に、案内する保障項目を指定する指示データに応じたコンテンツ情報と、指示データによって指定される保障項目と指定された属性情報とに応じた保険料情報とが掲載された保険案内書を作成することができる。
【発明を実施するための最良の形態】
【００２２】
以下に、本発明の実施の形態について、生命保険の保険案内書を作成する場合を例に挙げて説明する。図面を参照して説明する。
【００２３】
図１は、本発明の保険案内書作成方法を用いて保険案内書を作成する仕組みの実施の一形態を説明するための図である。
【００２４】
図１に示すように本形態においては、保険代理店２０から企業１０−１〜１０−ｎの従業員（以下、顧客と称する）に配布される保険案内書及び保険申込書が、企業１０−１〜１０−ｎから供給される顧客データ１１−１〜１１−ｎと、保険代理店２０から供給される指示データ２１とに基づいて案内書作成企業３０にて作成され、その後、保険代理店２０に供給される。
【００２５】
ここで、案内書作成企業３０には、保険案内書あるいは保険申込書の印刷データを生成する印刷データ生成システム４０と、印刷データ生成システム４０にて生成された保険案内書の印刷データを用いて保険案内書を印刷する案内書印刷機３４と、案内書印刷機３４にて印刷された保険案内書が単片状のものである場合にその保険案内書を予め決められた折り方によって折り畳む折り機３５と、案内書印刷機３４にて印刷された保険案内書が冊子状のものである場合にその保険案内書を製本する製本機３６と、印刷データ生成システム４０にて生成された保険申込書の印刷データを用いて保険申込書を印刷する申込書印刷機３７と、折り機３５にて折り畳まれた保険案内書あるいは製本機３６にて製本された保険案内書と申込書印刷機３７にて印刷された保険申込書とを、保険案内書の提供先となる顧客毎に封筒に封入する封入機３８とが設けられている。
【００２６】
ここで、案内書作成企業３０に設けられた印刷データ生成システム４０について詳細に説明する。
【００２７】
案内書作成企業３０に設けられた印刷データ生成システム４０は、上述したように、企業１０−１〜１０−ｎから供給される顧客データ１１−１〜１１−ｎと、保険代理店２０から供給される指示データ２１とを記憶しておき、その後、記憶された顧客データ１１−１〜１１−ｎ及び指示データ２１を読み出し、それらのデータに基づいて、案内書印刷機３４にて印刷される保険案内書の印刷データ、並びに、申込書印刷機３７にて印刷される保険申込書の印刷データを生成するものであって、第１のデータベースであるコンテンツデータベース４５と、第２のデータベースである保険料データベース４６と、案内書レイアウトデータベース４７と、企業マスターデータ４８と、担当者データベース４９とが管理されており、また、データフォーマット変換部４１と、データ記憶部４４と、生産用データ生成部４２と、印刷データ編集部５０と、印刷データ出力部４３とが設けられている。
【００２８】
コンテンツデータベース４５には、保険案内書に掲載されるコンテンツ情報が登録されている。このコンテンツ情報は、それぞれ、コンテンツ情報を識別可能なコンテンツＩＤと対応づけられてコンテンツデータベース４５に登録されており、コンテンツデータベース４５からコンテンツ情報が検索される場合は、このコンテンツＩＤが指定されることになる。また、保険料データベース４６には、保障を受けるための保険料情報が、その保障の内容並びに加入者の年齢及び性別に対応づけられて登録されており、これらの情報が対応づけられたテーブルが設けられている。
【００２９】
また、案内書レイアウトデータベース４７には、保険種目に応じた保険案内書を構成する提供資料毎にコンテンツ情報や保険料情報などの配置位置データとなる、それらが配置される領域の座標情報が第１のレイアウト情報として登録され、また、保険種目に応じた保険申込書毎に保険申込書に印刷される保障項目や顧客の氏名等の情報が配置される領域の座標情報が第２のレイアウト情報として登録されている。
【００３０】
また、企業マスターデータ４８は、保険案内書の配布先である企業１０−１〜１０−ｎの名称や住所等からなるデータであり、また、担当者データベース４９には、保険代理店２０における企業１０−１〜１０−ｎの担当者に関するデータが登録されている。
【００３１】
また、データフォーマット変換部４１は、保険代理店２０から供給された顧客データ１１−１〜１１−ｎを予め決められた統一フォーマットに変換する。また、データ記憶部４４は、企業１０−１〜１０−ｎから供給され、データフォーマット変換部４１にてフォーマット変換された顧客データ１１−１〜１１−ｎと、保険代理店２０から供給された指示データ２１とを記憶する。また、生産用データデータ生成部４２は、データ記憶部４４に記憶された指示データ２１及び顧客データ１１−１〜１１−ｎを読み出し、これらのデータと外部から入力される情報とを用いて、保険案内書を作成する際に必要となる生産用データを生成する。
【００３２】
印刷データ編集部５０は、データ記憶部４４に記憶された指示データ２１及び顧客データ１１−１〜１１−ｎを読み出し、これらのデータに応じた第１のレイアウト情報、コンテンツ情報及び保険料情報を用いて、保険案内書の印刷データを編集し、また、保険代理店２０から供給された指示データ２１によって指定される保障項目とデータ記憶部４４から読み出された顧客データ１１−１〜１１−ｎと案内書レイアウトデータベース４７に登録された第２のレイアウト情報とに応じて、保険申込書の印刷データを編集するものであって、コンテンツ情報検索部５１と、保険料情報検索部５２と、印刷データ組立部５３とから構成され、また、コンテンツ情報検索部５１及び印刷データ組立部５３が参照するコンテンツレイアウトテーブル５４が設けられている。
【００３３】
印刷データ出力部４３は、印刷データ編集部５０にて編集された保険案内書の印刷データを案内書印刷機３４に対して出力し、また、印刷データ編集部５０にて編集された保険申込書の印刷データを申込書印刷機３７に対して出力する。
【００３４】
また、印刷データ編集部５０に設けられたコンテンツレイアウトテーブル５４においては、データ記憶部４４から読み出された指示データ２１及び顧客データ１１−１〜１１−ｎに応じて、どのようなコンテンツ情報をどのようなレイアウトで配置するかが設定されており、その詳細は後述する。
【００３５】
また、コンテンツ情報検索部５１は、コンテンツレイアウトテーブル５４を参照し、データ記憶部４４から読み出された指示データ２１及び顧客データ１１−１〜１１−ｎ、もしくは指示データ２１のみに応じたコンテンツ情報をコンテンツデータベース４５から検索する。
【００３６】
保険料情報検索部５２は、データ記憶部４４から読み出された指示データ２１によって指定される保障項目とデータ記憶部４４から読み出された顧客データ１１−１〜１１−ｎとに応じた保険料情報を保険料データベース４６から検索する。
【００３７】
印刷データ組立部５３は、コンテンツレイアウトテーブル５４を参照し、データ記憶部４４から読み出された指示データ２１及び顧客データ１１−１〜１１−ｎに応じたコンテンツ情報や保険料情報が配置される領域の座標情報を案内書レイアウトデータベース４７から検索し、コンテンツ情報検索部５１にてコンテンツデータベース４５から検索されたコンテンツ情報と、保険料情報検索部５２にて保険料データベース４６から検索された保険料情報とを、コンテンツレイアウトテーブル５４に従って、案内書レイアウトデータベース４７から検索された座標情報によって指定される領域に配置することにより、保険案内書の印刷データを組み立て、また、コンテンツレイアウトテーブル５４を参照し、データ記憶部４４から読み出された指示データ２１によって指定される保険種目に応じた保障項目や顧客の氏名等が配置される領域の座標情報を案内書レイアウトデータベース４７から検索し、保障項目と、データ記憶部４４から読み出された顧客データ１１−１〜１１−ｎと、保険料情報検索部５２にて保険料データベース４６から検索された保険料情報とを、コンテンツレイアウトテーブル５４に従って、案内書レイアウトデータベース４７から検索された座標情報によって指定される領域に配置することにより、保険申込書の印刷データを組み立てる。
【００３８】
以下に、上述した仕組みにおける保険案内書作成方法の詳細な処理について説明する。
【００３９】
図２は、図１に示した仕組みにおける保険案内書作成方法の処理の流れを説明するためのフローチャートである。
【００４０】
まず、保険案内書の配布先となる企業１０−１〜１０−ｎから、保険案内書の提供先となる顧客の氏名や年齢、性別等の属性情報が顧客データ１１−１〜１１−ｎとして保険代理店２０に供給される（ステップＳ１）。なお、この顧客データ１１−１〜１１−ｎは、フロッピーディスク等の記録媒体に電子データとして書き込まれて企業１０−１〜１０−ｎから保険代理店２０に供給されることや、紙媒体として企業１０−１〜１０−ｎから保険代理店２０に供給されること等が考えられる。また、インターネット等の通信回線を介して企業１０−１〜１０−ｎから保険代理店２０に供給されることも考えられる。
【００４１】
また、保険代理店２０においては、保険案内書を用いて案内する保険の種類を指定するための指示書が作成される（ステップＳ２）。なお、この指示書の作成は、専用の入力ツールを用いて、保険案内書を用いて案内する保険の種類が指定され、電子データによって指示書が作成されることになる。
【００４２】
図３は、図１に示した保険代理店２０にて作成される指示書の画面イメージの一例を示す図である。
【００４３】
図３に示すように、図１に示した保険代理店２０にて作成される指示書においては、保険代理店２０の名称を入力するための領域１１１と、保険代理店２０が保険案内書を配布する企業１０−１〜１０−ｎの名称を入力するための領域１１２と、保険案内書を用いて案内する保障項目を指定するための領域１１３とが設けられている。また、領域１１４においては、保険種目がプルダウン表示によって選択可能となっている。また、領域１１５においては、保険案内書を構成する提供資料を指定可能となっている。
【００４４】
保険代理店２０においては、領域１１４にて保険種目が選択され、保険代理店２０の名称が領域１１１に入力され、また、保険代理店２０が保険案内書を配布する企業１０−１〜１０−ｎの名称が領域１１２に入力される。また、領域１１３には、保険案内書を用いて案内する保障項目を指定するための情報が掲載されており、保険代理店２０において、領域１１３に掲載された情報の中から、保険案内書を用いて案内する保障項目を示す情報が指定される。また、領域１１３に掲載された情報以外に、条件を指定することによってその保障項目を指定するための可変項目指示領域が設けられており、領域１１３に掲載された保障項目以外の保障を設定する場合、この領域が指定され、その保障を設定するための条件が入力されることになる。また、その保険案内書の形態が、冊子状のものであるか、あるいは単片状のものであるかが指定される。また、領域１１５において、企業１０−１〜１０−ｎに配布される保険案内書を構成する提供資料が指定される。これにより、保険代理店２０から企業１０−１〜１０−ｎに配布される保険案内書について、この保険案内書を用いて案内される保障項目、並びに保険案内書の形態が企業１０−１〜１０−ｎ毎に指定されることになる。また、保険代理店２０は、本形態においては１つしか図示していないが、複数存在し、その保険代理店毎に作成された指示書によって、保険代理店２０から企業１０−１〜１０−ｎに配布される保険案内書について、その保険案内書を用いて案内される保険の種類、並びに保険案内書の形態が企業１０−１〜１０−ｎ毎及び保険代理店毎に指定されることになる。
【００４５】
保険代理店２０にて作成された指示書による指示データ２１は、企業１０−１〜１０−ｎから供給された顧客データ１１−１〜１１−ｎとともに保険代理店２０から案内書作成企業３０に供給される（ステップＳ３）。なお、保険代理店２０から案内書作成企業３０に供給される顧客データ１１−１〜１１−ｎにおいては、この顧客データ１１−１〜１１−ｎを供給した企業１０−１〜１０−ｎを特定可能な情報が付与されているが、この情報は、顧客データ１１−１〜１１−ｎが企業１０−１〜１０−ｎから保険代理店２０に供給された際に付与されていてもよいし、また、保険代理店２０にて付与してもよい。
【００４６】
案内書作成企業３０においては、保険代理店２０から顧客データ１１−１〜１１−ｎ及び指示データ２１が供給されると、まず、顧客データ１１−１〜１１−ｎ及び指示データ２１が印刷データ生成システム４０に与えられ、印刷データ生成システム４０のデータフォーマット変換部４１において、保険代理店２０から供給された顧客データ１１−１〜１１−ｎが予め決められた統一フォーマットに変換される（ステップＳ４）。これは、保険代理店２０から供給された顧客データ１１−１〜１１−ｎは、この顧客データ１１−１〜１１−ｎを保険代理店２０に供給した企業１０−１〜１０−ｎ毎にその形態が様々であり、この形態が様々な顧客データ１１−１〜１１−ｎを、生産用データ生成部４２あるいは印刷データ編集部５０にて利用可能なフォーマットに変換する必要があるためである。
【００４７】
データフォーマット変換部４１にてフォーマット変換された顧客データ１１−１〜１１−ｎと、保険代理店２０から供給された指示データ２１とは、印刷データ生成システム４０内のデータ記憶部４４に一旦記憶される（ステップＳ５）。
【００４８】
その後、生産用データ生成部４２及び印刷データ編集部５０において、データ記憶部４４に記憶された指示データ２１及び顧客データ１１−１〜１１−ｎが読み出され（ステップＳ６）、生産用データ生成部４２において、データ記憶部４４から読み出された指示データ２１及び顧客データ１１−１〜１１−ｎや外部から入力される指示情報に基づいて、保険案内書の管理番号や、それをバーコードとして表現した情報や、保険案内書を製本する際に製本する枚数を示す枚数フラグ情報や、保険案内書を構成する用紙のうちどの用紙に糊を塗布するかを示す糊フラグ情報等といった、保険案内書の印刷及び製本を制御するための生産用データが生成される（ステップＳ７）。また、この生産用データには、保険代理店２０から供給された指示データ２１によって指定される保険案内書の形態を示す情報も含まれている。
【００４９】
次に、印刷データ編集部５０において、まず、コンテンツ情報検索部５１において、コンテンツレイアウトテーブル５４が参照され、データ記憶部４４から読み出された指示データ２１及び顧客データ１１−１〜１１−ｎに応じたコンテンツ情報がコンテンツデータベース４５から検索される（ステップＳ８）。
【００５０】
図４は、図１に示したコンテンツレイアウトテーブル５４の構成を示す図である。
【００５１】
図４に示すように、コンテンツレイアウトテーブル５４には、保険代理店２０から企業１０−１〜１０−ｎに配布される保険案内書を構成する提供資料毎に、データ記憶部４４から読み出された指示データ２１や顧客データ１１−１〜１１−ｎに応じて掲載されるコンテンツ情報を特定可能なコンテンツＩＤが設定されている。また、このコンテンツレイアウトテーブル５４においては、コンテンツＩＤによって特定されるコンテンツ情報の提供資料内における配置位置を示す領域ＩＤが設定されている。そのため、例えば、データ記憶部４４から読み出された指示データによって、提供資料ＩＤがＮ、Ｏ、Ｐとなる提供資料からなる保険種目が指定されており、その保障項目として、保障金額が２００００円、保障パターンが「オール」として指定され、また、データ記憶部３３から読み出された顧客データ１１−１〜１１−ｎに含まれる性別が男性、年齢が２０歳以上である場合、提供資料ＩＤがＮの提供資料の領域ＩＤがＣ１の領域に配置されるコンテンツ情報としてコンテンツＩＤがＣ−Ｎ００００１のコンテンツ情報がコンテンツデータベース４５から検索され、また、提供資料ＩＤがＯの提供資料の１頁目の領域ＩＤがＣ１の領域に配置されるコンテンツ情報としてコンテンツＩＤがＣ−Ｏ１０００１のコンテンツ情報がコンテンツデータベース４５から検索され、また、提供資料ＩＤがＯの提供資料の２頁目の領域ＩＤがＣ１の領域に配置されるコンテンツ情報としてコンテンツＩＤがＣ−Ｏ２０００１のコンテンツ情報がコンテンツデータベース４５から検索され、また、提供資料ＩＤがＰの提供資料の１頁目の領域ＩＤがＣ１の領域に配置されるコンテンツ情報としてコンテンツＩＤがＣ−Ｐ１０００１のコンテンツ情報がコンテンツデータベース４５から検索され、また、提供資料ＩＤがＰの提供資料の１頁目の領域ＩＤがＣ２の領域に配置されるコンテンツ情報としてコンテンツＩＤがＣ−Ｐ１００１１のコンテンツ情報がコンテンツデータベース４５から検索され、また、提供資料ＩＤがＰの提供資料の２頁目の領域ＩＤがＣ１の領域に配置されるコンテンツ情報としてコンテンツＩＤがＣ−Ｐ２０００１のコンテンツ情報がコンテンツデータベース４５から検索される。このように検索されるコンテンツ情報は、コンテンツＩＤと対応づけてイメージ情報としてコンテンツデータベース４５に登録されている。また、印刷データ編集部５０において、コンテンツレイアウトテーブル５４に設定された提供資料のうち、企業１０−１〜１０−ｎに配布される保険案内書がどの提供資料から構成されるかについて予め設定しておき、データ記憶部４４から読み出された指示データ２１によって指定される保険種目及びその形態（冊子状あるいは単片状）の保険案内書を構成する提供資料のそれぞれについて、上述したようにコンテンツ情報を検索することも考えられる。
【００５２】
また、保険料情報検索部５２において、データ記憶部４４から読み出された指示データ２１によって指定される保険の種類とデータ記憶部４４から読み出された顧客データ１１−１〜１１−ｎとに応じた保険料情報が保険料データベース４６から検索される（ステップＳ９）。
【００５３】
図５は、図１に示した保険料データベース４６に設けられたテーブルを示す図である。
【００５４】
図５に示すように、図１に示した保険料データベース４６においては、保険代理店２０にて作成される指示書のうち、領域１１３（図３参照）にて指定される保障項目毎に、顧客の年齢及び性別に応じた保険料が登録されてなるテーブルが設けられており、保険料情報検索部５２において、データ記憶部４４から読み出された指示データ２１によって指定される保障項目とデータ記憶部４４から読み出された顧客データ１１−１〜１１−ｎに含まれる年齢及び性別とに応じた保険料情報が保険料データベース４６から検索されることになる。なお、図４においては、説明を簡略化するために、領域１１３（図３参照）にて指定される保障パターン毎の保険料情報しか図示していないが、実際には、領域１１３（図３参照）にて、保障種別や入院給付金日額、入院給付金支払い限度額、あるいは払込期間毎に、この保険料が登録されている。
【００５５】
次に、印刷データ組立部５３において、コンテンツレイアウトテーブル５４が参照され、コンテンツ情報検索部５１にてコンテンツデータベース４５から検索されたコンテンツ情報や保険料情報検索部５２にて保険料データベース４６から検索された保険料情報が配置される領域の座標情報からなる第１のレイアウト情報が案内書レイアウトデータベース４７から検索される（ステップＳ１０）。
【００５６】
図６は、図１に示した案内書レイアウトデータベース４７に登録された第１のレイアウト情報の一例を示す図である。また、図７は、図６に示した第１のレイアウト情報によって指定される領域を示す図であり、提供資料ＩＤがＰの提供資料の１頁目を示す。
【００５７】
図６に示すように、案内書レイアウトデータベース４７に登録された第１のレイアウト情報においては、コンテンツレイアウトテーブル５４に設定された領域ＩＤ毎にその領域の座標情報が設定されている。また、保険料情報検索部５２にて保険料データベース４６から検索された保険料情報がテキストデータとして配置される領域の座標情報が設定されている。なお、保険料情報検索部５２にて保険料データベース４６から検索された保険料情報については、どこにどのような保険料情報が配置されるかは、例えば、コンテンツレイアウトテーブル５４に設定しておくことが考えられる。
【００５８】
図６に示した第１のレイアウト情報によって、図７に示したような領域が検索されることになり、印刷データ組立部５３においては、コンテンツ情報検索部５１にてコンテンツデータベース４５から検索されたコンテンツ情報と、保険料情報検索部５２にて保険料データベース４６から検索された保険料情報が、コンテンツレイアウトテーブル５４にて対応する領域ＩＤについて案内書レイアウトデータベース４７にて指定される座標上に配置され、保険案内書の印刷データが組み立てられる（ステップＳ１１）。
【００５９】
図８は、図１に示した印刷データ編集部５０にて編集された保険案内書の印刷データの画面イメージの一例を示す図である。
【００６０】
印刷データ編集部５０にて編集された保険案内書の印刷データは図８に示すように、表紙となる１頁目には、保険案内書の提供先を示す顧客の氏名等の情報が掲載された提供先表記欄１２１と、あいさつ文が掲載されたあいさつ文表記欄１２２とが設けられ、また、２頁目〜３頁目に渡って、保険案内書の提供先となる顧客に応じて、保険への加入を喚起するための情報が掲載されたニーズ喚起表記欄１２３が設けられ、また、４頁目〜５頁目に渡って、保険案内書の提供先となる顧客に案内する保険の内容が掲載された商品紹介欄１２４と、この商品紹介欄１２４に掲載された保険の内容について、保険案内書の提供先となる顧客に応じて、保険の保障金額及びその保障を受けるために支払う保険料の情報が掲載された保険料表記欄１２５とが設けられ、また、６頁目〜７頁目に渡って、保険の加入手続きの手順が掲載された手順書欄１２６が設けられている。
【００６１】
ここで、ニーズ喚起表記欄１２３においては、例えば、コンテンツデータベース４５に、保険案内書に掲載される保障項目、並びにその保障項目について顧客の年齢や性別に応じた漫画がコンテンツ情報として登録されており、また、コンテンツレイアウトテーブル５４において、そのコンテンツ情報の提供先の条件が設定されており、印刷データ編集部５０のコンテンツ情報検索部５１において、コンテンツデータベース４５に登録された漫画のうち、データ記憶部４４から読み出された指示データ２１と顧客データ１１−１〜１１−ｎとに応じたコンテンツ情報が検索され、配置されることになる。そのため、保険案内書の提供先となる顧客と同一の年代及び性別の主人公が、例えば、その保険に加入したことにより、どのような保障を受けたか等が漫画によって掲載されている。また、ニーズ喚起表記欄１２３に配置されるコンテンツ情報としては、指示データ２１や顧客データ１１−１〜１１−ｎによらずに共通のものと、その中で顧客データ１１−１〜１１−ｎに応じて可変するものとから構成しておくことも考えられる。例えば、ニーズ喚起表記欄１２３に配置されるコンテンツ情報となる漫画の人物の輪郭や背景等と共通のものとして設定しておき、顧客の性別や年齢に応じてその輪郭内の絵を可変することが考えられる。
【００６２】
また、商品紹介欄１２４においては、保険代理店２０にて作成された指示書によって指定される保障項目に応じた詳細の情報が掲載されている。
【００６３】
ここで、商品紹介欄１２４について詳細に説明する。
【００６４】
図９は、図８に示した商品紹介欄１２４について説明するための図である。
【００６５】
図１に示したコンテンツデータベース４５においては、保険案内書に掲載されるコンテンツ情報が登録されており、この中から、コンテンツ情報検索部５１において、コンテンツレイアウトテーブル５４が参照され、領域１１３（図３参照）にて指定される保障項目に応じたコンテンツ情報が検索されることになる。例えば、図９（ａ）に示したようなコンテンツ情報１４１〜１４３がコンテンツデータベース４５に登録されており、領域１１３（図３参照）にて保障パターンとして「オール」が指定された場合は、コンテンツ情報検索部５１において、コンテンツレイアウトテーブル５４が参照され、病気で入院した場合の保障を示すコンテンツ情報１４１と、ケガで入院した場合の保障と手術をしたときの保障を示すコンテンツ情報１４２とが検索され、また、領域１１３（図３参照）にて保障パターンとして「ケガヌキ」が指定された場合は、コンテンツ情報検索部５１において、コンテンツレイアウトテーブル５４が参照され、病気で入院した場合の保障を示すコンテンツ情報１４１と、手術をしたときの保障を示す情報とその説明からなるコンテンツ情報１４３とが検索され、また、領域１１３（図３参照）にて保障パターンとして「レンカ」が指定された場合は、コンテンツ情報検索部５１において、コンテンツレイアウトテーブル５４が参照され、病気で入院した場合の保障を示すコンテンツ情報１４１と、その説明からなるコンテンツ情報１４４とが検索される。また、コンテンツ情報検索部５１にてコンテンツデータベース４５から検索されたコンテンツ情報の印刷データ内における配置可能な位置は、コンテンツレイアウトテーブル５４及び案内書レイアウトデータベース４７に登録された第１のレイアウト情報によって決められており、コンテンツ情報検索部５１にてコンテンツデータベース４５から検索されたコンテンツ情報は、コンテンツレイアウトテーブル５４にて対応する領域１５１，１５２について案内書レイアウトデータベース４７に登録された座標情報に従った位置に配置されることになる。なお、印刷データ組立部５３において、コンテンツ情報検索部５１にてコンテンツデータベース４５から検索されたコンテンツ情報の配置可能な位置データを設定しておき、コンテンツ情報検索部５１にてコンテンツデータベース４５から検索されたコンテンツ情報の数に応じて、コンテンツ情報の配置可能な位置内において、その配置位置データを変更することも考えられる。例えば、図９（ａ）に示したような、病気で入院した場合の保障を示す情報からなるコンテンツ情報と、ケガで入院した場合の保障を示す情報からなるコンテンツ情報と、手術をしたときの保障を示す情報からなるコンテンツ情報とをコンテンツデータベース４５にそれぞれ登録しておき、保障パターンとして「オール」が指定された場合に、病気で入院した場合の保障を示す情報からなるコンテンツ情報と、ケガで入院した場合の保障を示す情報からなるコンテンツ情報と、手術をしたときの保障を示す情報からなるコンテンツ情報とを図９（ａ）に示すように配置し、また、保障パターンとして「ケガヌキ」が指定された場合に、手術をしたときの保障を示す情報からなるコンテンツ情報を、保障パターンとして「オール」が指定された場合における、ケガで入院した場合の保障を示す情報からなるコンテンツ情報が配置された領域に配置する。これにより、図９（ａ）に示したような、病気で入院した場合の保障を示す情報からなるコンテンツ情報と、ケガで入院した場合の保障を示す情報からなるコンテンツ情報と、手術をしたときの保障を示す情報からなるコンテンツ情報とのうち、２つのコンテンツ情報のみからなる場合であっても、そのコンテンツ情報間に空間が設けられてしまうことがなくなる。また、その際、病気で入院した場合の保障を示す情報からなるコンテンツ情報と、ケガで入院した場合の保障を示す情報からなるコンテンツ情報と、手術をしたときの保障を示す情報からなるコンテンツ情報とに優先順位を付与しておき、この優先順位に従ってコンテンツ情報を配置することや、配置順を変更することも考えられる。
【００６６】
また、保険料表記欄１２５においては、商品紹介欄１２４に掲載された保障項目や、その他、保険代理店２０にて作成された指示書に応じて、顧客の年齢等の属性情報に応じてその保険の保障金額及びその保障を受けるために支払う保険料情報が配置されている。
【００６７】
ここで、保険料表記欄１２５について詳細に説明する。
【００６８】
図１０は、図８に示した保険料表記欄１２５について説明するための図であり、（ａ）は保険代理店２０から供給された顧客データ１１−１〜１１−ｎに顧客の年齢及び性別情報が含まれている場合の保険料表記欄１２５を示す図、（ｂ）は保険代理店２０から供給された顧客データ１１−１〜１１−ｎに顧客の年齢及び性別のうち少なくとも一方の情報が含まれていない場合の保険料表記欄１２５を示す図である。
【００６９】
印刷データ編集部５０においては、データ記憶部４４から読み出された顧客データ１１−１〜１１−ｎに年齢及び性別情報が含まれているかどうかが判断される。
【００７０】
その後、コンテンツ情報検索部５１において、コンテンツレイアウトテーブル５４が参照され、データ記憶部４４から読み出された指示データ２１及び顧客データ１１−１〜１１−ｎに応じたコンテンツＩＤによってコンテンツ情報が検索されることになるが、図４及び図７に示すように、保険料表記欄１２５（提供資料ＩＤ：Ｐ、領域ＩＤ：Ｃ２〜Ｃ５）においては、顧客データ１１−１〜１１−ｎに年齢及び性別情報が含まれている場合と含まれていない場合とで、検索されるコンテンツ情報が異なる。また、コンテンツ情報においては、顧客データ１１−１〜１１−ｎに年齢及び性別情報が含まれている場合には、図７に示すように、テキスト情報が埋め込まれることになる。
【００７１】
そのため、保険料情報検索部５２においては、顧客データ１１−１〜１１−ｎに年齢及び性別情報が含まれている場合、その年齢及び性別情報と領域１１３（図３参照）にて指定される保障項目に応じた保険料情報が保険料データベース４６から検索され、その後、図１０（ａ）に示すように、印刷データ組立部５３において、保険料情報検索部５２にて検索された保険料情報が、図７に示すようなテキスト情報が埋め込まれる領域に配置される。
【００７２】
また、顧客データ１１−１〜１１−ｎに年齢及び性別情報が含まれていない場合は、コンテンツＩＤがＣ−Ｐ０００４１（図４参照）となる保険料情報が保険料データベース４６から検索されることになる。この保険料情報は、領域１１３（図３参照）にて指定された保障項目のみに応じたものであり、図１０（ｂ）に示すような料金表情報１８１として検索され、保険料表記欄１２５に配置されることになる。
【００７３】
このようにして組み立てられて編集された保険案内書の印刷データは、印刷データ出力部４３から案内書印刷機３４に出力される（ステップＳ１２）。
【００７４】
案内書印刷機３４においては、印刷される保険案内書が冊子形状である場合は（ステップＳ１３）、印刷データ出力部４３から出力された印刷データを用いて保険案内書の印刷が行われる（ステップＳ１４）。この際、案内書印刷機３４においては、生産用データ生成部４２にて生成されたバーコード情報も用紙の端部に印刷される。なお、案内書印刷機３４においては、生産用データ生成部４２にて生成された生産用データに含まれる保険案内書の形態を示す情報によって、印刷される保険案内書の形態が冊子状のものであるか、単片状のものであるかが判断されることになる。
【００７５】
案内書印刷機３４にて印刷データが印刷された用紙は、製本機３６に渡され、製本機３６において、まず、案内書印刷機３４にて用紙に印刷されたバーコード情報がバーコードリーダ（不図示）にて読み取られ、製本される用紙が同一の案内書を構成するものであるかが照合される。ここで、案内書印刷機３４においては、上述したように、保険案内書の管理番号がバーコード情報として用紙に印刷されているため、このバーコード情報を読み取ることにより、製本される用紙が同一の案内書を構成するものであるかを確認することができる。その後、製本機３６においては、生産用データ生成部４２にて生成された生産用データに基づいて、案内書印刷機３４にて印刷データが印刷された用紙が製本される（ステップＳ１５）。ここで、生産用データには、保険案内書を製本する際に製本する枚数を示す枚数フラグ情報や、保険案内書を構成する用紙のうちどの用紙に糊を塗布するかを示す糊フラグ情報等が、保険案内書の管理番号とともに含まれているため、これらの情報に基づいて製本を行うことができる。また、製本後、用紙のバーコード情報が印刷された領域は断裁されることになる。
【００７６】
このようにして、冊子状の保険案内書は、それぞれの頁が図８に示したような構成となって製本されることになる。
【００７７】
一方、印刷される保険案内書が単片状のものである場合は、案内書印刷機３４において、まず、印刷データ出力部４３から出力された印刷データを用いて保険案内書の印刷が行われる。
【００７８】
図１０は、図１に示した案内書印刷機３４にて印刷された単片状の保険案内書を示す図であり、（ａ）は表面を示す図、（ｂ）は裏面を示す図である。
【００７９】
案内書印刷機３４にて印刷される保険案内書が単片状のものである場合は、図１０に示すように、図８に示した保険案内書の画面イメージのうち、提供先表記欄１２１及びあいさつ文表記欄１２２が掲載された領域と、商品紹介欄１２４及び保険料表記欄１２５が掲載された領域とから保険案内書が構成される。そのため、印刷データ生成システム４０のコンテンツ情報検索部５１においては、データ記憶部４４から読み出された指示データのみに応じたコンテンツ情報がコンテンツデータベース４５から検索され、商品紹介欄１２４に掲載されることになる。また、この際、案内書印刷機３４においては、生産用データ生成部４２にて生成されたバーコード情報も用紙の端部に印刷される。その後、案内書印刷機３４において、用紙の端部に印刷されたバーコード情報を用いて、案内書管理番号によって管理される保険案内書が印刷されたかどうかが照合され（ステップＳ１６）、折り機３５において所定の折り方に折り畳まれる。
【００８０】
また、印刷データ生成システム４０の印刷データ組立部５０においては、データ記憶部４４から読み出された顧客データ１１−１〜１１−ｎと指示データ２１によって指定される保障項目と、保険料情報検索部５２にて保険料データベース４６から検索された保険料情報と、案内書レイアウトデータベース４７に登録された第２のレイアウト情報とを用いて、保険申込書の印刷データ内にて、顧客データ１１−１〜１１−ｎに含まれる顧客の氏名や生年月日、住所等の属性情報や、保険代理店２０にて指定された保障項目を示す情報や、保険料情報が配置され、保険申込書の印刷データが生成される。ここで、案内書レイアウトデータベース４７においては、保険申込書に対して保険申込書毎に予め決められた第２のレイアウト情報が登録されている。このレイアウト情報は、保険案内書の提供先によらずに共通となるフォーマットが予め印刷された保険申込書に対して、上述した情報の配置位置が座標情報によって設定されている。
【００８１】
このようにして組み立てられて編集された保険申込書の印刷データは、印刷データ出力部４３から申込書印刷機３７に出力される。
【００８２】
申込書印刷機３７においては、上述したように、保険案内書の提供先によらずに共通となるフォーマットが保険の申込書として予め印刷されており（ステップＳ１４）、印刷データ出力部４３から出力された印刷データがこの申込用紙に印刷される（ステップＳ１５）。
【００８３】
図１２は、図１に示した申込書印刷機３７にて印刷される申込書の一例を示す図である。
【００８４】
本形態にて作成される申込書は図１２に示すように、ステップＳ１７にて共通のフォーマットがプレ印刷された用紙に、顧客データに含まれる顧客の氏名や年齢等の属性情報１３１が印刷されているとともに、この顧客データと対応づけられた指示データによって指定される保障内容や保険料等の保険情報１３２が印刷されている。なお、企業１０−１〜１０−ｎから顧客データ１１−１〜１１−ｎが供給されない場合は、保険申込書にこれらの情報は掲載されない。
【００８５】
製本機３６によって製本された保険案内書あるいは折り機３５によって折り畳まれた保険案内書と申込書印刷機３７にて印刷された申込書とは、封入機３８において、保険案内書の提供先毎に封筒に封入され（ステップＳ１９）、保険代理店２０に供給される。
【００８６】
図１３は、図１に示した封入機３８にて保険案内書が封筒に封入された状態を示す図である。
【００８７】
図１３に示すように、封入機３８にて保険案内書が封筒に封入されると、保険案内書の提供先表記欄１２１が、封筒１９０に形成された窓１９１を介して外部から視認可能な状態となり、保険代理店２０においては、この提供先表記欄１２１に掲載された情報を参照して、保険案内書の提供先となる顧客にこの保険案内書を配布することになる。
【００８８】
また、本形態においては、保険案内書として生命保険への加入を勧めるための保険案内書を例に挙げて説明したが、本発明はこれに限らず、自動車保険等の損害保険への加入を勧めるための保険案内書についても適用できることは言うまでもない。本発明を自動車保険に適用する場合は、保険料データベース４６において、保障を受けるための保険料情報が、その保障の内容並びに加入者の年齢及び性別、さらには、保障対象物となる自動車の車種に対応づけて登録されており、また、保険案内書の配布先となる企業１０−１〜１０−ｎから供給される顧客データ１１−１〜１１−ｎには自動車の車種等の情報も含まれている。印刷データ生成システム４０においては、この自動車の車種に関する情報も含めて、上述した処理を行うことになる。
【図面の簡単な説明】
【００８９】
【図１】本発明の保険案内書作成方法を用いて保険案内書を作成する仕組みの実施の一形態を説明するための図である。
【図２】図１に示した仕組みにおける保険案内書作成方法の処理の流れを説明するためのフローチャートである。
【図３】図１に示した保険代理店にて作成される指示書の画面イメージの一例を示す図である。
【図４】図１に示したコンテンツレイアウトテーブルの構成を示す図である。
【図５】図１に示した保険料データベースに設けられたテーブルを示す図である。
【図６】図１に示した案内書レイアウトデータベースに登録された第１のレイアウト情報の一例を示す図である。
【図７】図６に示した第１のレイアウト情報によって指定される領域を示す図である。
【図８】図１に示した印刷データ編集部にて編集された保険案内書の印刷データの画面イメージの一例を示す図である。
【図９】図８に示した商品紹介欄について説明するための図である。
【図１０】図８に示した保険料表記欄について説明するための図であり、（ａ）は保険代理店から供給された顧客データに顧客の年齢及び性別情報が含まれている場合の保険料表記欄を示す図、（ｂ）は保険代理店から供給された顧客データに顧客の年齢及び性別のうち少なくとも一方の情報が含まれていない場合の保険料表記欄を示す図である。
【図１１】図１に示した案内書印刷機にて印刷された単片状の保険案内書を示す図であり、（ａ）は表面を示す図、（ｂ）は裏面を示す図である。
【図１２】図１に示した申込書印刷機にて印刷される申込書の一例を示す図である。
【図１３】図１に示した封入機にて保険案内書が封筒に封入された状態を示す図である。
【符号の説明】
【００９０】
１０−１〜１０−ｎ    企業
１１−１〜１１−ｎ    顧客データ
２０    保険代理店
２１    指示データ
３０    案内書作成企業
３４    案内書印刷機
３５    折り機
３６    製本機
３７    申込書印刷機
３８    封入機
４０    印刷データ生成システム
４１    データフォーマット変換部
４２    生産用データ生成部
４３    印刷データ出力部
４４    データ記憶部
４５    コンテンツデータベース
４６    保険料データベース
４７    案内書レイアウトデータベース
４８    企業マスターデータ
４９    担当者データベース
５０    印刷データ編集部
５１    コンテンツ情報検索部
５２    保険料情報検索部
５３    印刷データ組立部
５４    コンテンツレイアウトテーブル
１２１    提供先表記欄
１２２    あいさつ文表記欄
１２３    ニーズ喚起表記欄
１２４    商品紹介欄
１２５    保険料表記欄
１２６    手順書欄
１３１    属性情報
１３２    保険情報
１４１〜１４４    コンテンツ情報
１６１〜１６３    保険料情報
１７１〜１７３    保障パターン情報
１８１    料金表情報
１９０    封筒
１９１    窓
【図１】
2005250901.tif 000003
【図２】
2005250901.tif 000004
【図３】
2005250901.tif 000005
【図４】
2005250901.tif 000006
【図５】
2005250901.tif 000007
【図６】
2005250901.tif 000008
【図７】
2005250901.tif 000009
【図８】
2005250901.tif 000010
【図９】
2005250901.tif 000011
【図１０】
2005250901.tif 000012
【図１１】
2005250901.tif 000013
【図１２】
2005250901.tif 000014
【図１３】
2005250901.tif 000015